(57)【要約】【課題】  薄型で様々な形状のコンピュータの装置本体に取り付けることができるディスクドライブ装置を提供する。【解決手段】  ディスク２が挿脱される装置本体３と、装置本体内３に挿入されたディスク２が装着されるディスク装着部２３と、ディスク装着部２３に装着されたディスク２を回転駆動するディスク回転駆動機構２７と、ディスク２に対して情報信号の記録及び／又は再生を行う光ピックアップ２８と、光ピックアップ２８をディスク２の半径方向に搬送するピックアップ送り機構２９とを有するディスク記録再生ユニット２１と、装置本体３内への挿入及び装置本体３からの排出を行うディスク搬送機構４０と、ディスク搬送機構４０を駆動する搬送駆動機構６０とを備え、装置本体３は、ディスク２の挿入端近傍の厚みが薄くなる段差部１０を有する。【選択図】  図７
2010003374.tif 000002
【特許請求の範囲】
【請求項１】
ディスクが挿脱される装置本体と、
上記装置本体内に挿入されたディスクが装着されるディスク装着部と、該ディスク装着部に装着された該ディスクを回転駆動するディスク回転駆動機構と、該ディスクに対して情報信号の記録及び／又は再生を行う光ピックアップと、該光ピックアップを該ディスクの半径方向に搬送するピックアップ送り機構とを有するディスク記録再生ユニットと、
上記ディスクの、上記装置本体内への挿入及び該装置本体からの排出を行うディスク搬送機構と、
上記装置本体内に設けられ、上記ディスク搬送機構を駆動する搬送駆動機構とを備え、
上記装置本体は、上記ディスクの挿入端近傍の厚みが薄くなる段差部を有するディスクドライブ装置。
【請求項２】
上記装置本体の段差部は、上記光ピックアップが搭載されるピックアップベースが、上記ディスクの挿入端側で該ディスクに対して最外周側にある位置から該挿入端側に亘って形成される請求項１記載のディスクドライブ装置。
【請求項３】
水平面部と、該水平面部と連続して傾斜される傾斜面部と、該傾斜面部近傍に開口されたディスク挿排出用の開口部と有する機器本体と、
ディスクが挿脱される装置本体と、上記装置本体内に挿入されたディスクが装着されるディスク装着部と、該ディスク装着部に装着された該ディスクを回転駆動するディスク回転駆動機構と、該ディスクに対して情報信号の記録及び／又は再生を行う光ピックアップと、該光ピックアップを該ディスクの半径方向に搬送するピックアップ送り機構とを有するディスク記録再生ユニットと、上記ディスクの、上記装置本体内への挿入及び該装置本体からの排出を行うディスク搬送機構と、上記装置本体内に設けられ、上記ディスク搬送機構を駆動する搬送駆動機構とを有するディスクドライブ装置とを備え、
上記装置本体は、上記傾斜面部と対応して、上記ディスクの挿入端近傍の厚みが薄くなる段差部を有する電子機器。
【発明の詳細な説明】
【技術分野】
【０００１】
本発明は、光ディスクに対して情報信号の記録及び／又は再生を行うディスクドライブ装置に関し、特に光ディスクを直接装置本体内に挿入する、いわゆるスロットインタイプのディスクドライブ装置に関する。
【背景技術】
【０００２】
光ディスクとしては、従来よりＣＤ(Compact Disk)やＤＶＤ(Digital Versatile Disk)、ＢＤ(Blue-ray Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このスロットイン型のディスクドライブ装置が搭載される、例えばノート型パーソナルコンピュータ等のモバイル機器では、更なる小型軽量薄型化が求められており、それに伴うディスクドライブ装置の小型軽量薄型化の要求が高まっている。このような背景から、スロットイン型のディスクドライブ装置では、フロントパネルのディスク挿脱口から挿入されたディスクの外周部に当接される当接部が先端部に設けられ、基端部が回動可能に支持された複数の回動アームを配置し、これら回動アームを当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置が提案されている（例えば、特許文献１を参照。）。このように薄型化が図られたディスクドライブ装置のなかでも、ノート型パーソナルコンピュータ等に搭載される超薄型のディスクドライブ装置は、厚さ１２．７ｍｍのものや、更に薄型化されたハードディスクドライブ（ＨＤＤ）ユニットと同等の厚みである９．５ｍｍまで薄型化されたディスクドライブ装置も提案されている。
【０００５】
ところで、従来搭載されるディスクドライブ装置においては、ドライブ本体にフロントパネルを設け、このフロントパネルをノート型パーソナルコンピュータの装置本体から露出させるようにしていた。しかしながら、ディスクドライブ装置が搭載されるノート型パーソナルコンピュータでは、装置本体に様々なデザインが施されるようになっている。そこで、ディスクドライブ装置においては、フロントパネルを設けず、コンピュータの装置本体側にフロントパネルとしての機能を持たせるようにする要請がある。
【０００６】
このような要請に応えたディスクドライブ装置としては、図１０に示すようなものがある。図１０に示すディスクドライブ装置１００は、いわゆるスロットイン型のディスクドライブ装置であり、ノート型パーソナルコンピュータ１０００の装置本体１００１に搭載される。ディスクドライブ装置１００は、略矩形の装置本体１００１側面に形成されるディスク挿脱口１００３を介してディスクの挿脱が行えるように、装置本体１００１内に固定されている。具体的には、ノート型パーソナルコンピュータ１０００においては、ディスクドライブ装置１００は、装置本体１００１のキーボード１００２の直下のスペースに固定される。このディスクドライブ装置１００は、直接的にフロントパネルを備えず、装置本体１００１がフロントパネルを兼ねる構成となっている。
【０００７】
今、装置本体１００１がそのデザインにより傾斜部１００４が形成されたとすると、装置本体１００１自体も小型薄型化されていることから、ディスクドライブ装置１００を搭載スペースも限られ、この傾斜部１００４を避けるようにディスクドライブ装置１００を配置する必要が生じる。この場合、ディスクドライブ装置１００は、図１０に示すように、コンピュータの装置本体１００１のディスク挿脱口１００３と、ディスクドライブ装置１００のディスク挿脱口とが離間することになる。この離間された状態では、ディスク挿脱口１００３から挿入されるディスクの挿入方向によっては、ディスクドライブ装置１００内に挿入されない事態が発生する。また、この離間されたスペースが無駄になっていた。
【０００８】
さらに、この離間されたスペースによりディスクドライブ装置１００から排出されたディスクが十分に筐体外に臨まされた状態とすることができず、そのためユーザがきちんと排出されたディスクを掴むことができない問題が生じていた。
【特許文献１】特開２００５−１００５９５号公報
【発明の開示】
【発明が解決しようとする課題】
【０００９】
そこで本発明は、このような従来の実情に鑑みてなされたものであり、薄型で様々な形状のコンピュータ等の電子機器の装置本体に取り付けることができるディスクドライブ装置及び電子機器を提供することを目的とする。
【課題を解決するための手段】
【００１０】
上述した目的を達成するために、本発明に係るディスクドライブ装置は、ディスクが挿脱される装置本体と、上記装置本体内に挿入されたディスクが装着されるディスク装着部と、該ディスク装着部に装着された該ディスクを回転駆動するディスク回転駆動機構と、該ディスクに対して情報信号の記録及び／又は再生を行う光ピックアップと、該光ピックアップを該ディスクの半径方向に搬送するピックアップ送り機構とを有するディスク記録再生ユニットと、上記ディスクの、上記装置本体内への挿入及び該装置本体からの排出を行うディスク搬送機構と、上記装置本体内に設けられ、上記ディスク搬送機構を駆動する搬送駆動機構とを備える。そして、上記装置本体は、上記ディスクの挿入端近傍の厚みが薄くなる段差部を有する。
【００１１】
また、本発明に係る電子機器は、水平面部と、該水平面部と連続して傾斜される傾斜面部と、該傾斜面部近傍に開口されたディスク挿排出用の開口部と有する機器本体と、ディスクが挿脱される装置本体と、上記装置本体内に挿入されたディスクが装着されるディスク装着部と、該ディスク装着部に装着された該ディスクを回転駆動するディスク回転駆動機構と、該ディスクに対して情報信号の記録及び／又は再生を行う光ピックアップと、該光ピックアップを該ディスクの半径方向に搬送するピックアップ送り機構とを有するディスク記録再生ユニットと、上記ディスクの、上記装置本体内への挿入及び該装置本体からの排出を行うディスク搬送機構と、上記装置本体内に設けられ、上記ディスク搬送機構を駆動する搬送駆動機構とを有するディスクドライブ装置とを備え、上記装置本体は、上記傾斜面部と対応して、上記ディスクの挿入端近傍の厚みが薄くなる段差部を有する。
【発明の効果】
【００１２】
本発明は、装置本体が挿入端近傍の厚みが薄くなる段差部が設けられており、傾斜部などの非水平面を有する電子機器のディスクを十分に排出することができる位置に容易に取り付けることができる。
【発明を実施するための最良の形態】
【００１３】
以下、本発明が適用されたディスクドライブ装置について、図面を参照しながら詳細に説明する。このディスクドライブ装置１は、例えば図１に示すように、ノート型パーソナルコンピュータ１０００の装置本体１００１に搭載された超薄型のスロットイン型のディスクドライブ装置１である。このディスクドライブ装置１は、図２に示すように、例えばハードディスクドライブ（ＨＤＤ）ユニットと同等の厚みである９．５ｍｍ程度にまで装置全体が薄型化された構造を有しており、ＣＤ(Compact Disk)やＤＶＤ(Digital Versatile Disk)、ＢＤ(Blue-ray Disc)といった光ディスク２に対して情報信号の記録・再生を行うことが可能となっている。
【００１４】
ディスクドライブ装置１は、光ディスク２が挿脱される装置本体である筐体３と、光ディスク２に対して、記録、再生を行うディスク記録再生ユニットであるベースユニット２１と、筐体３内のベースユニット２１に対して光ディスク２を搬送及び筐体３外への排出を行うディスク搬送機構４０と、ディスク搬送機構を駆動する搬送駆動機構６０とを備える。
【００１５】
具体的に、ディスクドライブ装置１は、図２〜図６に示すように、装置本体の外筐となる筐体３を備え、この筐体３は、下部筐体である略扁平箱状のボトムケース４と、このボトムケース４の上部開口部を覆う天板であるトップカバー５とから構成されている。また、ディスクドライブ装置１の筐体３内には、後述するベースユニット２１を上方に臨ませるとともに、ディスク搬送の駆動力を提供する搬送駆動機構６０の搬送駆動モータ６１や搬送駆動モータ６１の駆動力が伝達され、光ディスク２を筐体３内に挿入及び筐体３外へ排出するディスク搬送機構４０を覆うメインシャーシ６が取り付けられている。
【００１６】
トップカバー５は、図２及び図５に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。トップカバー５は、薄いアルミニウム板からなり、このアルミニウム板に酸化皮膜を生成する陽極酸化、すなわちアルマイト処理が施されている。トップカバー５は、例えば、アルマイト処理が施された後の板厚が０．４ｍｍ程度である。天板部５ａの略中央部には、略円形状の開口部７が形成されている。この開口部７は、後述するチャッキング動作時に光ディスク２の中心孔２ａに係合されるターンテーブル２３ａの係合突部２３ｂを外部に臨ませるためのものである。また、天板部５ａの開口部７の周囲は、ターンテーブル２３ａ上に保持された光ディスク２の中心孔２ａの周囲と当接されるように、筐体３の内側に向かって僅かに突出した当接突部８を形成している。
【００１７】
天板部５ａに設けられた当接突部８は、後述するディスク挿脱口１９側において、挿入される光ディスク２が、この当接突部８と衝突することにより挿入の妨げにならないように光ディスク２を高さ方向に規制しながら案内するガイド突部８ａが形成されている。このガイド突部８ａは、当接突部８下を通る光ディスク２の挿入方向側であって、天板部５ａから当接突部８と同一の高さとなるように隆起されたテーパ形状を有している。当接突部８は、挿入される光ディスク２が当接突部８と衝突することを防止し、スムーズに当接突部８下を通るようにガイドすることができる。また、トップカバー５は、このような形状のガイド突部８ａを設けることで、天板部５ａの開口部７近傍の剛性を高めることができる。なお、天板部５ａに設けられた当接突部８やガイド突部８ａは、光ディスク２の挿入及びチャッキング動作をスムーズに行うことができることを主目的に設けられたものであり、図３に示すような形状に限定されるものではない。
【００１８】
このようなトップカバー５は、素地となるアルミニウム板全体に陽極酸化皮膜が生成されており、耐久性、耐摩耗性が向上し、光ディスク２の衝突による損傷を抑制し、衝突により発生するトップカバーの切削微粉の装置内での飛散を抑制することができる。また、トップカバー５は、同じ強度を維持し、材料の厚みを減らすことができるので、ディスクドライブ装置１全体の薄型化に寄与する。すなわち、従来、トップカバーとして０．５ｍｍの板厚のアルミニウム板を使用していたのに対し、本発明が適用されたトップカバー５においては、アルマイト処理を施して板厚を０．４ｍｍとしても、従来と同様の強度が得られる。さらに、トップカバー５は、摺動性が向上するので、光ディスク２が例えトップカバー５と摺動することになっても、挿入、排出がよりスムーズに行え、このことによりディスクドライブ装置１の高さ方向の余剰スペースのマージンを減らすことができ、薄型化に寄与する。
【００１９】
天板部５ａの前面側には、後述するディスク挿脱口１９から挿入される光ディスク２を高さ方向に規制しながら案内する一対のガイド突部１１ａ，１１ｂが筐体３の内部に向かって膨出形成されている。これら一対のガイド突部１１ａ，１１ｂは、開口部７を通る光ディスク２の挿入方向に沿った中心線を挟んで略対称となる位置に、光ディスク２の挿入方向に円弧を描くように隆起され、且つ、光ディスク２の挿入方向と略直交する方向に亘って、外側から内側に向かって連続的に円弧が縮径するように隆起された略部分円錐形状を有している。すなわち、これら一対のガイド突部１１ａ，１１ｂは、円錐を軸線方向に沿って分割し、互いの頂上部を内側に向けたような形状を有しており、外側から内側に向うに従って連続的に低く且つ細くなっている。
【００２０】
一対のガイド突部１１ａ，１１ｂは、このような形状を有することで、ディスク挿脱口１９から挿入された光ディスク２の幅方向のずれを修正しながら、筐体３の内部へとスムーズに案内することができる。また、トップカバー５は、このような形状のガイド突部１１ａ，１１ｂを設けることで、天板部５ａの剛性を高めることができる。
【００２１】
なお、トップカバー５は、上述のように、側板部５ｂを含め材料全体に陽極酸化皮膜を生成することに限らず、光ディスク２が摺動する可能性のある摺動領域、すなわちガイド突部８ａ及びガイド突部１１ａ，１１ｂ近傍ないし天板部５ａの内面側のみに陽極酸化皮膜を生成するようにしてもよい。また、アルミニウム素地に陽極酸化皮膜を生成する条件については、電解液として硫酸、シュウ酸等を用いて行うなどの周知の条件により行われる。また、トップカバー５の素地としては、アルミニウムに限らず、陽極酸化皮膜を生成することができるものであれば、いかなる周知の材料、例えば、マグネシウム、チタン等を用いることができるが、コスト、強度の面から、アルミニウムないしアルミニウム合金を用いることが好ましい。
【００２２】
ボトムケース４は、図６に示すように、略扁平箱状に形成された板金からなり、その底面部は、略矩形状であり、一方の側面部には、この底面部よりも底上げされて外側へと張り出したデッキ部４ａが設けられている。ボトムケース４は、トップカバー５と同様に、薄いアルミニウム板からなり、このアルミニウム板に酸化皮膜を生成する陽極酸化、すなわちアルマイト処理が施されている。ボトムケース４は、例えば、アルマイト処理が施された後の板厚が０．４ｍｍ程度である。デッキ部４ａには、ディスク搬送機構４０を構成し、光ディスク２を筐体３内に引き込むローディングアーム４１、及び８ｃｍの小径の光ディスクの誤挿入を防止すると共に大径の光ディスク２のセンタリングを図るデッキアーム４２並びにこのデッキアーム４２の付勢力を制御する規制アーム４３が回動自在に支持されている。
【００２３】
ボトムケース４の底面部には、駆動制御回路を構成するＩＣチップ等の電子部品や、各部の電気的な接続を図るためのコネクタ、各部の動作を検出するための検出スイッチ等が配置された回路基板４４がネジ止め等により取り付けられている。ボトムケース４の底面部には、この回路基板４４を、例えば３箇所においてネジ止めするためのネジ孔４４ａが形成された基板受け座面４ｄが膨出形成されている。そしてボトムケース４の外周壁の一部には、回路基板４４に実装されたコネクタを外部に臨ませるコネクタ開口部４ｂが設けられている。
【００２４】
また、ボトムケース４は、図６及び図７に示すように、ディスク挿脱口１９側端部近傍において、高さ方向の高さ、すなわち厚みが薄くなり、底面部よりも底上げされた段差部１０が形成されている。このボトムケース４の段差部１０は、ディスク挿脱口１９から装置本体３の奥に向かって（図７中矢印Ａ方向）、最大ベースユニット２１の最外周側に位置されるピックアップベース３６と干渉しない位置まで形成することができる。これは装置全体を薄型化する際に、最も厚みを要するものがピックアップベース３６であるから、段差部１０は、このピックアップベース３６の可動領域との干渉を避けて形成する必要があるからである。
【００２５】
また、ボトムケース４には、上記トップカバー５がネジ止めにより取り付けられている。具体的に、トップカバー５の天板部５ａの外周縁部には、図５に示すように、ネジ１２を貫通させる複数の貫通孔１３が、ディスクドライブ装置１の内面側に膨出形成された受け座面１３ａに形成されている。また、両側の側板部５ｂには、内側に略直角に折り曲げられた複数のガイド片１４が設けられている。一方、ボトムケース４の外周縁部には、図６に示すように、内側に略直角に折り曲げられた複数の固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる詳細を省略するガイドスリットが複数形成されている。
【００２６】
そして、ボトムケース４にトップカバー５を取り付ける際は、ボトムケース４の複数のガイドスリットにトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。また、ボトムケース４には、ディスク挿脱口１９側の外周縁部近傍に、ベースユニット２１の昇降動作における回動軸となる軸孔９が形成されている。さらに、ボトムケース４には、配設される各部材を筐体３外から視認可能又は調整可能にするために複数の開口部が形成されている。例えば、ボトムケース４のディスク挿脱口１９側の段差部１０においては、ベースユニット２１内における光ピックアップ２８の傾き（スキュー）調整を行うことができる開口部４ｅが形成されている。また、ボトムケース４の段差部１０においては、搬送駆動モータ６１が固定される位置に開口部４ｆが形成されている。これは、段差部１０における高さが薄く形成されており、搭載できる搬送駆動モータ６１が必然的に小型なものとなることを考慮したものである。すなわち、ボトムケース４の段差部１０をくり抜き開口部４ｆとすることで、ボトムケース４の板厚分大きいサイズの駆動モータを使用することができるようにするためである。
【００２７】
このようなボトムケース４上では、ディスク搬送機構４０による光ディスク２の搬送動作を行うための搬送駆動モータ６１からの駆動力を、各アームに伝達するスライダ６２が摺動される。ボトムケース４は、素地となるアルミニウム板全体に陽極酸化皮膜が生成されており、耐久性、耐摩耗性が向上されており、搬送駆動機構６０のスライダ６２の摺動による摺動抵抗を抑制し、摺動により発生するボトムケース４の切削微粉の装置内での飛散を抑制することができる。また、ボトムケース４は、同じ強度を維持し、材料の厚みを減らすことができるので、ディスクドライブ装置１全体の薄型化に寄与する。すなわち、従来、ボトムケースとして０．５ｍｍの板厚のアルミニウム板を使用していたのに対し、本発明が適用されたボトムケース４においては、アルマイト処理を施して板厚を０．４ｍｍとしても、従来と同様の強度が得られる。さらに、ボトムケース４は、摺動性が向上したことにより、搬送駆動モータ６１の出力を抑えることができ、そのため、より小規模の駆動モータを用いることができ、ディスクドライブ装置１全体を薄型化できる。
【００２８】
さらに、ボトムケース４は、段差部１０が形成され、ディスクドライブ装置１全体からみると、一部分のみの薄型が図られたものであるが、この段差部１０がディスク挿脱口１９側に設けられることにより、傾斜部などの非水平面を有する取り付け位置においても、光ディスク２を十分に排出することができる位置に容易に取り付けることができる。
【００２９】
また、ボトムケース４の段差部１０は、様々な傾斜ないし曲率を有する装置本体１００１に取り付けることができるので、装置本体１００１に応じて設計変更をする必要がなく、汎用品に最適である。さらに、この段差部１０は、ボトムケース４の底面部と略水平に形成されていることから、回路基板、駆動用のモータ等の様々な部品を配置する場合には、傾斜面への配置と比して配置設計が容易となる。
【００３０】
さらに、ボトムケース４では、固定片１５、基板受け座面４ｄのそれぞれトップカバー５、回路基板４４と対向する側の面において、陽極酸化皮膜が剥離されている。このため、ディスクドライブ装置１では、陽極酸化皮膜が剥離された部分を介して導電性が確保され、アース機能により電子部品への悪影響を防止することができる。なお、トップカバー５では、ボトムケース４と同様に、トップカバー５と連結される受け座面１３ａにおいても陽極酸化皮膜が剥離されるようにし、アース機能を確保するようにしてもよい。また、これらの陽極酸化皮膜の剥離については、例えばレーザ等の周知の剥離手段により行うようにする。以上のようにして、図２に示す筐体３が構成されている。
【００３１】
筐体３の前面には、図２に示すように、略矩形平板状のフロントパネル１８が取り付けられている。このフロントパネル１８には、光ディスク２が水平方向に出し入れされる矩形状のディスク挿脱口１９が設けられている。すなわち、光ディスク２は、このディスク挿脱口１９から筐体３の内部へと挿入したり、或いはこのディスク挿脱口１９から筐体３の外部へと排出したりすることが可能となっている。ディスク挿脱口１９には、長手方向と直交する方向の両辺部に図示しないパネルカーテンが形成されている。パネルカーテンは、長尺状に切断された不織布等からなりフロントパネル１８の背面側に接着剤等によって貼着されることにより、筐体３内に塵埃等が侵入することを防止すると共に、光ディスク２が挿脱される際にディスク表面に摺接し、これにより光ディスク２に付着した塵埃等を除去することができる。
【００３２】
また、フロントパネル１８の前面には、光ディスク２に対するアクセス状態を点灯表示する表示部２０や、光ディスク２を排出する際に押圧されるイジェクトボタン１７が設けられている。
【００３３】
なお、ディスクドライブ装置１は、上述のように、フロントパネル１８を備える構成に限らず、フロントパネル１８を備えず、直接ノート型パーソナルコンピュータ１０００の装置本体１００１に搭載し、この装置本体１００１側にフロントパネル１８と同様の構成、すなわち、ディスク挿脱口１９、表示部２０、イジェクトボタン１７、パネルカーテン等を設けるようにしてもよい。
【００３４】
具体的には、図７に示すように、コンピュータ１０００の装置本体１００１がフロントパネル１８の役目を果たすような場合には、ディスクドライブ装置１においてディスク挿脱口１９にフロントパネル１８を設ける必要はない。
【００３５】
なお、ボトムケース４の上記デッキ部４ａが設けられた一側面近傍には、後述する搬送駆動モータ６１のスライダ６２を該一側面に沿ってスライドさせる一対のガイド突起を立設させるためのガイド突起用孔４ｃ、４ｃが形成されている。
【００３６】
また、ボトムケース４の底面部には、図３及び図４に示すように、メインシャーシ６がネジ止めにより取り付けられている。このメインシャーシ６は、回路基板４４の上方において、ボトムケース４の内部を上記デッキ部４ａと略同等の高さで上下に仕切るように配置されている。これにより、筐体３は、メインシャーシ６よりトップカバー５側がローディングアーム４１、イジェクトアーム４６及びデッキアーム４２を回動自在に臨ませたディスク搬送領域とされ、メインシャーシ６よりボトムケース４側が搬送駆動モータ６１及びスライダ６２等の配設領域とされている。
【００３７】
メインシャーシ６は、図４に示すように、略扁平平板状の板金からなり、ボトムケース４の背面部側からデッキ部４ａが形成された一側面部にかけてボトムケース４を覆う上面６ａと、この上面６ａの周囲がボトムケース４の両側面に沿って折り曲げられた一対の側板部６ｂとを有する。また、メインシャーシ６は、上面６ａに、ベースユニット２１とディスク搬送機構４０を構成し、光ディスク２の排出を行うイジェクトアーム４６とをそれぞれ光ディスク２の搬送領域上に臨ませるベース用開口部６ｃ及びイジェクトアーム用開口部６ｄが形成され、デッキ部４ａが設けられる側の側板部６ｂに、搬送駆動モータ６１によってスライドされるスライダ６２と連結され、デッキアーム４２及び規制アーム４３の動作を制御するローディングカムプレート４７が挿通される側板開口部６ｅが形成されている。このメインシャーシ６の上面６ａには、ボトムケース４側において、光ディスク２を筐体３の内外に亘って搬送するディスク搬送機構４０のイジェクトアーム４６、搬送駆動モータ６１の駆動力を伝達しイジェクトアーム４６を操作する操作アーム４８、各アームの移動をガイドするガイドカム４９が係止されている。
【００３８】
なおメインシャーシ６は、両側の側板部６ｂに、ボトムケース４と同様に、複数のガイド片が設けられ、ボトムケース４と固定するための貫通孔が設けられ、ボトムケース４側においても、これらの貫通孔に対応してネジ孔が形成され、ネジを螺合させることによりメインシャーシ６が固定される。
【００３９】
このディスクドライブ装置１は、ボトムケース４の底面部にディスク記録再生ユニットであるベースユニット２１を備えている。ベースユニット２１は、図８に示すように、略矩形状のフレーム体からなるベースシャーシ２４を有し、このベースシャーシ２４の連結片２５ａ、２５ｂに設けられるダンパ２６ａ、２６ｂを介してメインシャーシ６及びボトムケース４に固定されている。そして、ベースユニット２１は、ベースシャーシ２４がダンパ２６ａ、２６ｂを介してメインシャーシ６及びボトムケース４に配設されることにより、長手方向の一端側を筐体３の略中央に位置される。ベースユニット２１は、当該長手方向の一端側に、ディスク挿脱口１９から筐体３の内部に挿入された光ディスク２が装着されるディスク装着部２３と、このディスク装着部２３に装着された光ディスク２を回転駆動するディスク回転駆動機構２７とが設けられている。またベースユニット２１は、ディスク回転駆動機構２７により回転駆動される光ディスク２に対して信号の書き込み又は読み出しを行う光ピックアップ２８と、この光ピックアップ２８を長手方向に亘って搬送することにより光ディスク２の半径方向に送り動作させるピックアップ送り機構２９とを有し、これらがベースシャーシ２４に一体に設けられている。そしてベースユニット２１は、ベースシャーシ２４がベース昇降機構５０によって光ディスク２に対して昇降操作される。
【００４０】
このベースユニット２１は、ボトムケース４の底面部においてディスク装着部２３が略中央に位置するように、メインシャーシ６のベース用開口部６ｃよりディスク搬送領域上に臨まされている。そしてベースユニット２１は、ベース昇降機構５０によって昇降可能とされており、初期状態において、ディスク挿脱口１９から筐体３の内部に挿入される光ディスク２よりも下方に位置され、光ディスク２のローディング操作に伴って上昇され、光ディスク２を回転可能に係合する。ベースユニット２１は、記録再生動作後は、ベース昇降機構５０によって下降され、光ディスク２との係合が解除されるとともに、光ディスク２の搬送領域から退避される。
【００４１】
ベースシャーシ２４は、板金を所定の形状に打ち抜き、その周囲を僅かに下方に折り曲げて形成されている。ベースシャーシ２４の主面には、後述するディスク装着部２３のターンテーブル２３ａを上方へと臨ませる略半円状のテーブル用開口部２４ａと、光ピックアップ２８の対物レンズ２８ａを上方へと臨ませる略矩形状のピックアップ用開口部２４ｂとが連続形成されている。なお、図３に示すように、ベースシャーシ２４の上面部には、これら開口部２４ａ，２４ｂに対応した開口部が形成された化粧板３０が取り付けられる。
【００４２】
またベースシャーシ２４は、ディスク装着部２３と反対側の端部に、光ディスク２とベースシャーシ２４との接触を防ぐとともに、光ディスク２をイジェクトアーム４６の支持部へ導くガイド板３０ａが形成されている。ガイド板３０ａには、図示しない繊維シートが貼着されており、光ディスク２が摺接された場合にも、光ディスク２の信号記録面に傷が付くことを防止することができる。
【００４３】
またベースシャーシ２４は、ダンパ２６ａ，２６ｂを介してメインシャーシ６及びボトムケース４と連結される連結片２５ａ，２５ｂが長手方向の両側面に突設されている。各連結片２５ａ，２５ｂには、ダンパ２６ａ、２６ｂが係合され、このダンパ２６ａ、２６ｂにピンが挿通される挿通孔３１ａ、３１ｂが穿設されている。
【００４４】
また、ベースシャーシ２４は、スライダ６２と対向する側面のディスク装着部２３側に位置して、スライダ６２に設けられるカムスリットに係合されて支持される第１の支軸３２と、ディスク搬送機構４０のスライダ６２とアームを介して連結されスライダ６２と同様にボトムケース４上を摺動するサブスライダ６３と対向する側面のディスク装着部２３側に位置して、サブスライダ６３のカムスリットに係合されて支持される第２の支軸３３と、スライダ６２と対向する側面とは反対側の側面の前面側に位置して、ボトムケース４に設けられた軸孔９に回動可能に支持された第３の支軸３４とを有している。
【００４５】
したがって、このベースシャーシ２４は、スライダ６２及びサブスライダ６３のスライドに連動して、第１の支軸３２がスライダ６２のカムスリット内をスライドすると共に、第２の支軸３３がサブスライダ６３のカムスリット内をスライドすることによって、ディスク装着部２３側が第３の支軸３４を支点に回動され、ベースユニット２１の昇降が可能となっている。
【００４６】
ディスク装着部２３は、ディスク回転駆動機構２７により回転駆動されるターンテーブル２３ａを有し、このターンテーブル２３ａの中心部には、光ディスク２を装着するためのチャッキング機構３５が設けられている。このチャッキング機構３５は、光ディスク２の中心孔２ａに係合される係合突部２３ｂと、この係合突部２３ｂに係合された光ディスク２の中心孔２ａの周囲を係止する複数の係止爪３５ａとを有し、光ディスク２をターンテーブル２３ａ上に保持する。
【００４７】
ディスク回転駆動機構２７は、光ディスク２をターンテーブル２３ａと一体に回転駆動する扁平状のスピンドルモータ２７ａを有し、このスピンドルモータ２７ａは、上面部に設けられたターンテーブル２３ａがベースシャーシ２４のテーブル用開口部２４ａから僅かに突出するように、支持板２７ｂを介してベースシャーシ２４の下面にネジ止めにより取り付けられている。
【００４８】
光ピックアップ２８は、光源となる半導体レーザから出射された光ビームを対物レンズ２８ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００４９】
また、この光ピックアップ２８は、対物レンズ２８ａを光軸方向（フォーカシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ２８ａをフォーカシング方向及びトラッキング方向に変位させながら、光ディスク２の信号記録面上に対物レンズ２８ａの焦点を合わせるフォーカスサーボや、対物レンズ２８ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ２８ａにより集光された光ビームを光ディスク２の信号記録面に垂直に照射させるように、光ディスク２の信号記録面に対する対物レンズ２８ａの傾き（スキュー）を調整可能とする３軸アクチュエータを用いてもよい。
【００５０】
ピックアップ送り機構２９は、光ピックアップ２８が搭載されたピックアップベース３６と、このピックアップベース３６を光ディスク２の半径方向にスライド可能に支持する一対のガイド軸３７ａ，３７ｂと、これら一対のガイド軸３７ａ，３７ｂに支持されたピックアップベース３６を、光ディスク２の半径方向に変位駆動する駆動モータ及びリードスクリューからなる変位駆動機構３８とを有している。
【００５１】
ピックアップベース３６には、一対のガイド軸３７ａ，３７ｂにガイドされるガイド片３４ａ、３４ｂが形成され、変位駆動機構３８により光ピックアップ２８をガイド軸３７ａ、３７ｂに沿って変位駆動する。
【００５２】
このような構成のベースユニット２１は、図４に示すように、ディスク装着部２３がボトムケース４の略中心に位置するように、筐体３内に搭載される。また、ベースユニット２１は、光ディスク２が挿入され、ディスク搬送機構４０により筐体３内に引き込まれたり、排出される場合には、ディスク搬送領域を広くとるようにすることが望ましい。そのため、ベースユニット２１は、ベース昇降機構５０により昇降され、ディスク搬送時には、ベースユニット２１が下降位置にある。このとき、ピックアップベース３６は、昇降にかかる負荷を軽減するために、回動支点である軸孔９の近傍、すなわちディスク装着部２３から最も離間した位置である最外周側に位置するようにされている。
【００５３】
またディスクドライブ装置１は、ディスク挿脱口１９から光ディスク２が挿入され、筐体３の内部への引き込みが開始され、ディスク装着部２３のターンテーブル２３ａに位置合わせされ光ディスク２が装着され、記録再生動作の終了後、光ディスク２がディスク挿脱口１９より排出される一連の搬送動作を行うディスク搬送機構４０を備えている。
【００５４】
このディスク搬送機構４０は、メインシャーシ６の上面６ａと天板部５ａのディスク装着部２３と対向する主面との間で移動操作されるサポート部材として、当該光ディスク２の主面と平行な面内で揺動可能とされたローディングアーム４１及びイジェクトアーム４６と、デッキアーム４２とを有している。
【００５５】
ディスク搬送機構４０のイジェクトアーム４６は、デッキ部４ａと反対側の側板部近傍のメインシャーシ６に回動支点を有し、挿入、排出される光ディスク２の搬送領域内を当該光ディスク２の主面と平行な面内で揺動可能とされている。ローディングアーム４１は、デッキ部４ａのディスク挿脱口１９側で光ディスク２の搬送領域内をイジェクトアーム４６と同一平面内を揺動可能とされており、挿入される光ディスク２の挿入方向後端側の端部を支持し、光ディスク２の引き込みを行う。また、デッキアーム４２は、デッキ部４ａ上に回動支点を有し、排出方向に付勢され、８ｃｍの小径の光ディスクの誤挿入を防止すると共に大径の光ディスク２のセンタリングを図る。それぞれのアームは、搬送駆動機構６０と連結され、搬送駆動モータ６１からの駆動力が伝達され、光ディスク２の挿入、排出及びディスク装着部２３への装着の際の光ディスク２のセンタリングを行う。また、ディスク搬送機構４０のそれぞれのアームは、複数の操作アーム４８等の連結部材により、ガイドカム４９と接続され、このガイドカム４９のガイドに従って、動作される。なお、ディスク搬送機構４０のデッキアーム４２及びローディングアーム４１は、ローディングカムプレート４７と接続され、ローディングカムプレート４７に形成されるカム溝に従って動作する。
【００５６】
また、ディスクドライブ装置１は、ディスク搬送機構４０により筐体３内に搬送される光ディスク２をベースユニット２１のディスク装着部２３に装着させるために、ベースユニット２１を昇降させるベース昇降機構５０を備えている。
【００５７】
このベース昇降機構５０は、スライダ６２及びサブスライダ６３からなり、図９に示すように、これらのスライダがボトムケース４上をスライドすることにより、各スライダに形成されたカムスリット内を摺動するベースシャーシ２４の第１の支軸３２及び第２の支軸３３に追従して、ベースユニット２１が昇降動作する。
【００５８】
さらに、ディスクドライブ装置１は、ディスク搬送機構４０、ベース昇降機構５０に対して、駆動力を伝達する搬送駆動機構６０を備える。この搬送駆動機構６０は、駆動力を発生する搬送駆動モータ６１と、搬送駆動モータ６１と連結されるスライダ６２と、リンクアーム等の連結部材によりスライダ６２と連結されるサブスライダ６３と、各スライダとディスク搬送機構とを連結する連結部材とを有している。
【００５９】
搬送駆動機構６０は、例えば、搬送駆動モータ６１からの回転駆動力を直線歯車が形成されたスライダ６２により直線駆動に変換され、このスライダ６２の直線駆動力を、連結部材を介してディスク搬送機構４０のイジェクトアーム４６や、ローディングカムプレート４７を介してローディングアーム４１及びデッキアーム４２に伝達をする。搬送駆動機構６０は、ディスク搬送機構４０に駆動力を伝達し、駆動力が伝達されたディスク搬送機構４０は、光ディスク２の挿入、位置決め、排出動作を行う。また、搬送駆動機構６０は、ベース昇降機構５０に駆動力を伝達し、ベースユニット２１の昇降動作を行う。なお、搬送駆動機構６０は、スライダ６２、サブスライダ６３、ローディングカムプレート４７の各部材がボトムケース４上をスライドする。このとき、各部材がスライドするボトムケース４の対応位置においては、陽極酸化皮膜が生成されており、摺動抵抗が低減されており、スムーズなスライドを実現することができ、このことから、各部材を摺動させるための搬送駆動モータ６１の出力を抑えることができる。
【００６０】
以上のような構成を備えるディスクドライブ装置１は、筐体３のボトムケース４が少なくともスライダ６２等の摺動領域、すなわち摺動部材が摺動する位置において陽極酸化皮膜が生成されており、摺動抵抗を低減することができる。また、ボトムケース４自体も、陽極酸化皮膜の生成により、より強度が増すことから、板厚を薄くすることができ、強度を維持しつつディスクドライブ装置１の薄型化を実現することができる。また、板厚が薄くなることから、軽量化も実現することができる。さらに、ディスクドライブ装置１では、ボトムケース４とトップカバー５や回路基板４４との接点において、陽極酸化皮膜が剥離された状態で接続されており、このことから、充分なアース機能も期待できる。さらに、ディスクドライブ装置１では、例えば、ボトムケース４の全体に陽極酸化皮膜が生成された場合には、陽極酸化皮膜の生成過程と同時に着色を行うことができることから、デザイン的にも優れたものを容易に形成することができる。
【００６１】
また、ディスクドライブ装置１は、ボトムケース４に段差部１０が設けられており、ディスクドライブ装置１全体からみると、一部分のみの薄型が図られたものであるが、傾斜部などの非水平面を有する取り付け位置においても、光ディスク２を十分に排出することができる位置に容易に取り付けることができる。
【００６２】
なお、ディスクドライブ装置１は、筐体３のみに陽極酸化皮膜を生成することについて述べたが、これに限らず、ディスク搬送機構４０、ベース昇降機構５０、搬送駆動機構６０を構成する部材のうち、摺動される部材、例えば、イジェクトアーム４６に対するメインシャーシ６についても、その摺動される位置（摺動領域）において、陽極酸化皮膜を生成するようにしてもよい。このように、メインシャーシ６についても陽極酸化皮膜を生成すると、アーム等の摺動部材の摺動抵抗を低減することができるとともに、シャーシとしての剛性も向上させることができる。すなわち、同じ強度であっても、板厚を薄くすることができ、軽量化もでき、摺動抵抗が低いことによる駆動源である搬送駆動モータ６１の出力を抑えることができることから、より小型の駆動源を使用することができ、ディスクドライブ装置１全体の薄型化を実現することができる。
【００６３】
また、ディスクドライブ装置１では、ディスク搬送機構４０がイジェクトアーム４６、ローディングアーム４１、デッキアーム４２からなり、これらのアームに対して搬送駆動機構６０からの駆動力が伝達されて、光ディスク２を挿入、排出等の動作を行っていたが、これに限らず、光ディスク２を筐体３内に挿入、筐体３外へ排出を行うことができる、いわゆるスロットイン型のディスクドライブ装置に適用される周知のいかなるディスク搬送機構であってもよい。また、搬送駆動機構６０についても、上述のように、スライダ６２、サブスライダ６３等により、搬送駆動モータ６１からの駆動力を伝達することに限らず、筐体３内で筐体３を構成する部材、すなわち、トップカバー５、ボトムケース４等の部材に対して摺動する摺動部材を有する機構であればよく、このように、摺動部材を有する搬送駆動機構であれば、本発明を適用することができる。
【００６４】
また、ディスクドライブ装置１は、図７に示すように、段差部１０が底面部と略水平となるように設けることに限らず、コンピュータ１０００の装置本体１００１の傾斜部に沿うように段差部１０を傾斜させるようにしてもよい。
【００６５】
次に、上述のような構成を備えるディスクドライブ装置１の装置としての耐久性、すなわちエージング試験を行った結果について説明をする。
【００６６】
エージング試験としては、陽極酸化皮膜が生成された筐体３を有する上述のディスクドライブ装置１と陽極酸化皮膜が生成されていない筐体３を有するディスクドライブ装置を用いて、光ディスク２を挿入し、ディスク装着部２３に装着するまでを挿入工程とし、ディスク装着部２３から光ディスク２を離脱させ、ディスク挿脱口１９から排出するまでを排出工程とし、それぞれの工程を３万回行った。そして、各工程の初期時点における搬送駆動モータ６１にかかる負荷と、３万回終了時点における搬送駆動モータ６１にかかる負荷とをそれぞれ測定した。その測定結果を下記の表１に示す。
【００６７】
【表１】
2010003374.tif 000003
【００６８】
この測定結果から、光ディスク２の挿入工程の方が、排出工程より搬送駆動モータ６１にかかる負荷が大きいということが分かる。これは、挿入工程において、ベースユニット２１のベース昇降機構５０による昇降動作も伴うことによるものと考えられる。また、エージングを行う前の初期状態におけるアルマイト処理の有無による結果を見ると、明らかに、挿入工程においてアルマイト処理が施されたディスクドライブ装置の方が負荷が少ないことが分かる。これは、アルマイト処理、すなわち陽極酸化皮膜を生成することで、摺動抵抗が低減されたことが原因と推定される。
【００６９】
また、エージングを行う前と後とで比較すると、いずれの工程においても、アルマイト処理が施されたディスクドライブ装置では、負荷が増加していない。これに対し、アルマイト処理が施されていないディスクドライブ装置では、負荷が６〜９％増加していることが分かる。これは、アルマイト処理が施されたディスクドライブ装置では、摺動抵抗の低減及びこの低減された状態の持続があるということが予想される。この結果、ディスクドライブ装置としては、耐久性があがることも分かる。
【図面の簡単な説明】
【００７０】
【図１】本発明が適用されたディスクドライブ装置が搭載される電子機器を示す外観斜視図である。
【図２】本発明が適用されたディスクドライブ装置を示す外観斜視図である。
【図３】本発明が適用されたディスクドライブ装置の内部を示す斜視図である。
【図４】メインシャーシを取り外したディスクドライブ装置を示す分解斜視図である。
【図５】トップカバーを示す外観斜視図である。
【図６】ボトムケースを示す外観斜視図であり、（Ａ）は、ボトムケースの内面側斜視図であり、（Ｂ）は、ボトムケースの外面側斜視図である。
【図７】ボトムケース前端側に形成された段差部を示す要部断面図である。
【図８】ベースユニットを示す斜視図である。
【図９】（Ａ）は、ベースユニットが下降位置にある状態を示した全体斜視図であり、（Ｂ）は、ベースユニットが上昇位置にある状態を示した全体斜視図である。
【図１０】従来のディスクドライブ装置のコンピュータ装置本体に取り付けられた様子を示した断面図である。
【符号の説明】
【００７１】
１  ディスクドライブ装置、２  光ディスク、３  装置本体、４  ボトムケース、４ａ  デッキ部、５  ボトムケース、５ａ  天板部、５ｂ  側板部、６  メインシャーシ、１９  ディスク挿脱口、１０  段差部、２１  ベースユニット、２３  ディスク装着部、２４  ベースシャーシ、２７  ディスク回転駆動機構、２７ａ  スピンドルモータ、２８  光ピックアップ、２９  ピックアップ送り機構、３０  化粧板、３２  第１の支軸、３３  第２の支軸、３４  第３の支軸、３５  チャッキング機構、３５ａ  係止爪、３６  ピックアップベース、３８  変位駆動機構、４０  ディスク搬送機構、４１  ローディングアーム、４２  デッキアーム、４３  規制アーム、４４  回路基板、４４ａ  ネジ孔、４６  イジェクトアーム、４７  ローディングカムプレート、４８  操作アーム、４９  ガイドカム、５０  ベース昇降機構、６０  搬送駆動機構、６１  搬送駆動モータ、６２  スライダ、６３  サブスライダ
【図１】
2010003374.tif 000004
【図２】
2010003374.tif 000005
【図３】
2010003374.tif 000006
【図４】
2010003374.tif 000007
【図５】
2010003374.tif 000008
【図６】
2010003374.tif 000009
【図７】
2010003374.tif 000010
【図８】
2010003374.tif 000011
【図９】
2010003374.tif 000012
【図１０】
2010003374.tif 000013